(57)【要約】      （修正有）【課題】部品点数の削減による構造の簡素化と、螺合部の省略による組み立て性の向上および雑菌を含む噴霧の回避が実現され、かつ外観がシンプルで見栄えのよい継手付きホースを提供する。【解決手段】継手付きホース１は、ホース本体２と、ホース本体の両端部に装着されて給水設備側の継手と噴霧設備側の継手とに着脱可能なホースカップリング３とを備える。ホースカップリングは、ホース本体の一端部に固着された第１カプラ３０と、ホース本体２の他端部に固着された第２カプラ３１とからなり、第１カプラはホース本体の一端部に、第２カプラはホース本体２の他端部に、差し込みにより通水可能に固着され、第１、第２カプラは、互いの着脱が可能に構成されている。【選択図】図１
0003216165.tif 000002
【実用新案登録請求の範囲】
【請求項１】
給水設備と噴霧設備を通水可能に互いに連結する継手付きホースであって、
ホース本体と、このホース本体の両端部に装着されて前記給水設備側の継手と噴霧設備側の継手とに着脱可能なホースカップリングとを備え、当該ホースカップリングは、ホース本体の一端部に差し込みにより通水可能に固着された第１カプラと、ホース本体の他端部に差し込みにより通水可能に固着された第２カプラとからなることを特徴とする継手付きホース。
【請求項２】
請求項１に記載した継手付きホースにおいて
前記第１，第２カプラは、互いの着脱が可能に構成されている継手付きホース。
【請求項３】
請求項１または請求項２に記載した継手付きホースにおいて
前記ホース本体は、樹脂製チューブからなる内層と、この内層を覆う金網製補強筒からなる中間層および当該中間層を被覆するエラストマー製チューブからなる外層との三層で構成されている継手付きホース。
【請求項４】
請求項３に記載した継手付きホースにおいて、
前記第１カプラは、両端開口筒状のソケット本体と、このソケット本体から前記内層の一端部に差し込み可能に延設された第１差し込み筒とを備え、前記第２カプラは、両端開口筒状のプラグ本体と、このプラグ本体から前記内層の他端部に差し込み可能に延設された第２差し込み筒とを備えている継手付きホース。
【請求項５】
請求項４に記載した継手付きホースにおいて、
前記ホース本体一端部の内層に差し込まれた前記第１カプラの第１差し込み筒は、前記外層の一端部除去で露出する前記中間層に外嵌された第１スリーブのカシメにより前記内層に固着されるとともに、前記ホース本体他端部の内層に差し込まれた前記第２カプラの第２差し込み筒は、前記外層の他端部除去で露出する前記中間層に外嵌された第２スリーブのカシメにより前記内層に固着される継手付きホース。
【考案の詳細な説明】
【技術分野】
【０００１】
本考案は継手付きホースに係り、さらに詳しくは、夏場の暑気払いのために屋外に設置されて、霧を噴出する噴霧設備に水を供給する通路として好適な継手付きホースに関するものである。
【背景技術】
【０００２】
夏場の暑気払いのために、霧を噴出する噴霧設備が屋外の特に人の流れのある場所に設置される。この種の噴霧設備への給水は、継手付きホースにより噴霧設備と給水設備を互いに通水可能に連結することでなされる。
【０００３】
継手付きホースの従来例を図７に示す。この図において、継手付きホース１は、ホース本体２と、金属製のホースカップリング３とを備え、ホースカップリング３は、通水可能なソケット状の第１カプラ３０と、通水可能なプラグ状の第２カプラ３１とからなり、第１カプラ３０は、両端開口筒状の金属製第１中間継手５０Ａに接続され、第１中間継手５０Ａがホース本体２の一端部（図示例では左端部）に固着されるとともに、第２カプラ３１は、両端開口筒状の金属製第２中間継手５０Ｂに接続され、第２中間継手５０Ｂがホース本体２の他端部（図示例では右端部）に固着される。
【０００４】
第１，第２中間継手５０Ａ、５０Ｂは、その構造と大きさおよび形状が同一に設定され、それぞれの軸方向略中央部にスパナやレンチなどのねじ回し工具（以下の説明では、ねじ回し工具という）が掛合する六角形の鍔５１を備え、この鍔５１から一側（図示例の第１中間継手５０Ａでは左側、第２中間継手５０Ａでは右側）に延設したニップル５２と、鍔５１から他側（図示例の第１中間継手５０Ａでは右側、第２中間継手５０Ａでは左側）に延設した差し込み筒５３とを有し、一般的にホース用継手やホースニップルと称される継手である。
【０００５】
第１中間継手５０Ａは、ニップル５２に第１カプラ３０を接続した状態で、差し込み筒５３をホース本体２の一端部に差し込み、差し込まれたホース本体２の一端部外周を金属製のスリーブ５４でカシメることで固着され、第２中間継手５０Ｂは、ニップル５２に第２カプラ３１を接続した状態で、差し込み筒５３をホース本体２の他端部に差し込み、差し込まれたホース本体２の外周を金属製のスリーブ５４でカシメることで固着される。
【０００６】
第１カプラ３０は、軸方向両端が開口した筒状のソケット本体３０ａを備え、その後端部（右端部）は、ねじ回し工具が掛合する六角形鍔３０ｂと、第１中間継手５０Ａのニップル５２に螺合可能な雌ネジ３０ｃとが備わる六角ナット状に構成されており、六角形鍔３０ｂの前側（左端）に、金属製のスリーブ３０ＳがストロークＬ相当分の軸方向進退を可能に外嵌されている。
【０００７】
第２カプラ３１は、軸方向両端が開口した筒状のプラグ本体３１ａを備え、その後端部（左端部）は、ねじ回し工具が掛合する六角形鍔３１ｂと、第２中間継手５０Ｂのニップル５２に螺合可能な雌ネジ３１ｃとが備わる六角ナット状に構成されており、プラグ本体３１ａの六角形鍔３１ｂより前側（右側）は、第１カプラ３０に挿脱可能であり、かつ所定位置に環状溝３１ｅが凹設されている。
【０００８】
第１，第２カプラ３０，３１どうしは、必要に応じて、ワンタッチ操作により、着脱可能に互いに結合することができる。すなわち、第１，第２カプラ３０，３１どうしの分離状態において、第１カプラ３０のスリーブ３０Ｓを指先で摘み、スプリング（図示省略）の付勢に抗してストローク前端から後端に後退させ、かつソケット本体３０ａにプラグ本体３１ａを差し込み、その直後、前記摘みを解除すると、スリーブ３０Ｓはストローク前端に自動復帰し、第１カプラ３０は、第２カプラ３１を抜脱不能に拘束して、第１，第２カプラ３０，３１どうしを分離不能に結合する。このような第１，第２カプラ３０，３１どうしの結合状態において、スリーブ３０ｅをストローク後端に後退させると、第１カプラ３０によるソケット本体３０ａの拘束が解かれ、第１，第２カプラ３０，３１どうしを分離することができる。
【０００９】
前記継手付きホース１を用いて、例えば、噴霧設備（従来例では図示せず）に第１カプラ３０を接続し、給水設備（従来例では図示せず）に第２カプラ３１を接続して、給水設備と噴霧設備とを通水可能に互いに連結した構造は、噴霧設備に設けた通水配管の入口に、予め、第１カプラ３０の着脱が可能な継手、つまり、前記第２カプラ３１に相当する継手を付設するとともに、給水設備における給水分岐管の出口に、予め、第２カプラ３１の着脱が可能な継手、つまり、前記第１カプラ３０に相当する継手を付設しておき、噴霧設備側の継手に第１カプラ３０を接続し、かつ、給水設備の継手に第２カプラ３１を接続することにより構築できる。
【００１０】
ところが、従来の継手付きホース１は、ホース本体２一端部への第１カプラ３０の固着が第１中間継手５０Ａを介してなされ、かつホース本体２他端部への第２カプラ３１の固着が第２中間継手５０Ｂを介してなされるので、第１、第２中間継手５０Ａ，５０Ｂの２個分、部品点数が多くなり、構造が複雑となる。
【００１１】
第１カプラ３０と第１中間継手５０Ａとの接続は、第１カプラ３０の雌ネジ３０ｃを第１中間継手５０Ａのニップル５２に螺合する煩雑なネジ結合によってなされ、第２カプラ３１と１第２中間継手５０Ｂとの接続は、第２カプラ３１の雌ネジ３１ｃを第２中間継手５０Ｂのニップル５２に螺合する煩雑なネジ結合によってなされるので、継手付きホース１の組み立て性が悪い。
【００１２】
第１カプラ３０の雌ネジ３０ｃと第１中間継手５０Ａのニップル５２との螺合は、第１カプラ３０と第１中間継手５０Ａが同時に、かつ同一方向に回転する共回りを避けてなされる。共回りの回避は、第１カプラ３０または第１中間継手５０Ａのいずれか一方の回転を規制し、残る他方をネジ締め方向に回転させる第１手法、あるいは、第１カプラ３０と第１中間継手５０Ａの双方を互いに反対方向に同時回転させる第２手法によりなされる。このような観点から、第１カプラ３０のソケット本体３０ａに六角形鍔３０ｂが備わり、かつ第１中間継手５０Ａに六角形鍔５１が備わっており、ねじ回し工具を六角形鍔３０ｂと六角形鍔５１に掛合して前記第１手法または第２手法がなされる。前記と同様に、第２カプラ３１の雌ネジ３１ｃと第２中間継手５０Ｂのニップル５２との螺合も共回りを避けてなされる。そのため、第２カプラ３１のプラグ本体３１ａに六角形鍔３１ｂが備わり、かつ第２中間継手５０Ｂに六角形鍔５１が備わっており、ねじ回し工具を六角形鍔３１ｂと六角形鍔５１に掛合して前記第１手法および第２手法がなされる。
【００１３】
このように、第１カプラ３０に六角形鍔３０ｂが備わり、第２カプラ３１に六角形鍔３１ｂが備わるとともに、第１、第２中間継手５０Ａ，５０Ｂの双方に六角形鍔５１が備わっていると、継手付きホース１の外観が大仰になって見栄えが悪くなる。しかも、継手付きホース１で給水設備と噴霧設備とを互いに通水可能に連結する工事の施工に際して、鋭い角部を有する六角形鍔３０ｂ，３１ｂや六角形鍔５１が誤って前記各設備およびその周辺の構造物に当たると、これらを傷を付けるおそれがある。
【００１４】
一方、第１カプラ３０の雌ネジ３０ｃと第１中間継手５０Ａのニップル５２との螺合部および第２カプラ３１の雌ネジ３１ｃと第２中間継手５０Ｂのニップル５２との螺合部は、経時により緩みが生じるおそれを有する。これら螺合部に緩みが生じるとネジ隙間が大きくなり、大きくなったネジ隙間にゴミや雑菌などが入り込む可能性を有する。よって、ゴミや雑菌を含む噴霧が懸念される。
【先行技術文献】
【特許文献】
【００１５】
【特許文献１】特になし
【考案の概要】
【考案が解決しようとする課題】
【００１６】
本考案は、上記の実情に鑑みてなされたもので、部品点数の削減による構造の簡素化と、螺合部の省略による組み立て性の向上および雑菌を含む噴霧の回避が実現され、かつ外観がシンプルで見栄えのよい継手付きホースの提供を目的とするものである。
【課題を解決するための手段】
【００１７】
前記目的を達成するために、本考案に係る継手付きホースは、給水設備と噴霧設備を通水可能に互いに連結する継手付きホースであって、
ホース本体と、このホース本体の両端部に装着されて前記給水設備側の継手と噴霧設備側の継手とに着脱可能なホースカップリングとを備え、当該ホースカップリングは、ホース本体の一端部に差し込みにより通水可能に固着された第１カプラと、ホース本体の他端部に差し込みにより通水可能に固着された第２カプラとからなり、かつ第１，第２カプラは、互いの着脱が可能に構成されていることを特徴とするものである。
【００１８】
前記構成の継手付きホースは、第１カプラを給水設備と噴霧設備のいずれか一方の設備に付設の継手に接続し、残る他方の設備に付設の継手に第２カプラを接続することで、給水設備と噴霧設備とを通水可能に互いに連結することができる。
ホース本体両端部へのホースカップリングの装着は、第１カプラをホース本体の一端部に差し込んで固着するとともに、第２カプラをホース本体の他端部に差し込んで固着することで可能となる。これにより、従来は必要であった中間継手が不要になり、これに伴い螺合部が省略される。中間継手の不要により部品点数が削減されて、構造が簡素化される。螺合部が省略できることで、煩雑なネジ結合が不要になり組み立て性が向上するとともに、ゴミや雑菌などの入り込む隙間が無くなって、ゴミや雑菌を含む噴霧が回避できる。しかも、ねじ回し工具掛合用の六角形鍔を有していないので、外観がシンプルになって、見栄えがよくなる。
【００１９】
前記第１，第２カプラは、互いの着脱が可能に構成されている。これによれば、複数の継手付きホースの直列継ぎ足しにより全長を大きくした継手付き長寸ホースを構成できる。そのため、給水設備と噴霧設備間の距離が、単一継手付きホースの規格長さより大きくても、前記継手付き長寸ホース給水設備と噴霧設備を通水可能に互いに連結することが可能となる。
【００２０】
前記ホース本体は、樹脂製チューブからなる内層と、この内層を覆う金網製補強筒からなる中間層および当該中間層を被覆するエラストマー製チューブからなる外層との三層で構成されている。これによると、樹脂製チューブの内層とエラストマー製チューブの外層との複合作用で優れた漏水防止効果が発揮され、金網製補強筒の中間層により強度が高められるとともに、前記内層、中間層および外層の複合作用により、使い勝手のよい曲げ性が得られ、かつ耐用性を高めて長期使用を可能にするなど、継手付きホース必須の特性を有効に発揮できる。
【００２１】
前記第１カプラは、両端開口筒状の本体と、この本体から前記内層の一端部に差し込み可能に延設された第１差し込み筒とを備え、前記第２カプラは、両端開口筒状の本体と、この本体から前記内層の他端部に差し込み可能に延設された第２差し込み筒とを備えている。これによれば、ホース本体両端部へのホースカップリング装着は、第１カプラの第１差し込み筒を内層の一端部に差し込み、かつ第２カプラの第２差し込み筒を内層の他端部に差し込む簡単な作業により行うことが可能となる。
【００２２】
前記ホース本体一端部の内層に差し込まれた前記第１カプラの第１差し込み筒は、前記外層の一端部除去で露出する前記中間層に外嵌された第１スリーブのカシメにより前記内層に固着されるとともに、前記ホース本体他端部の内層に差し込まれた前記第２カプラの第２差し込み筒は、前記外層の他端部除去で露出する前記中間層に外嵌された第２スリーブのカシメにより前記内層に固着される。これによると、螺合部が省略されて煩雑なネジ結合が不要な構造でありながら、ホース本体の一端部に第１カプラを脱抜不能に固着することが可能となり、かつホース本体の他端部に第２カプラを脱抜不能に固着することが可能となる。
【考案の効果】
【００２３】
本考案の継手付きホースは、従来の継手付きホースで必要であった中間継手が不要になり、その分部品点数が削減されて、構造が簡素化される。また、螺合部が省略できることで、煩雑なネジ結合が不要になり組み立て性が向上するとともに、ゴミや雑菌などの入り込む隙間が無くなって、ゴミや雑菌を含む噴霧が回避できる。しかも、ねじ回し工具掛合用の六角形鍔を有していないので、外観がシンプルになって見栄えがよくなる。
【図面の簡単な説明】
【００２４】
【図１】本考案に係る継手付きホースの一実施形態を示す半截断面図である。
【図２】本考案に係る継手付きホースの使用例を示す概略系統図である。
【図３】第１カプラの一実施形態を示す半截断面図である。
【図４】第２カプラの一実施形態を示す半截断面図である。
【図５】第１カプラと第２カプラどうしの結合状態を示す半截断面図である。
【図６】本考案に係る継手付きホースの継ぎ足し延長例を示す説明図である。
【図７】継手付きホースの従来例を示す説明図である。
【考案を実施するための最良の形態】
【００２５】
以下、本考案に係る継手付きホースの好ましい実施例を図面に基づいて説明する。図１は本考案に係る継手付きホースの一実施形態を示す半截断面図、図２は本考案に係る継手付きホースの使用例を示す概略系統図、図３は第１カプラの一実施形態を示す半截断面図、図４は第２カプラの一実施形態を示す半截断面図、図５は第１カプラと第２カプラどうしの結合状態を示す半截断面図である。
なお、前記図７の従来例と同一部分には、同一符号を付して説明する。
【００２６】
図１の継手付きホース１は、図２のように、給水設備４と噴霧設備５とを通水可能に互いに連結する。図１に示すように、継手付きホース１は、円形断面のホース本体２と、このホース本体２の両端部に装着されるステンレス製のホースカップリング３とを備え、ホースカップリング３は、通水可能な円形筒形断面の第１カプラ３０と、通水可能な円形筒形断面の第２カプラ３１とからなり、第１カプラ３０は、ホース本体２の一端部（図１においてホース本体２の左端部）に固着され、第２カプラ３１は、ホース本体２の他端部（図１においてホース本体２の右端部）に固着される。第１，第２カプラ３０，３１は、後述のように互いの着脱が可能になっている。
【００２７】
ホース本体２は、四フッ化エチレン樹脂製チューブからなる内層２ａと、この内層２ａを覆うステンレス金網製の補強筒からなる中間層２ｂおよび当該中間層２ｂを被覆するエラストマー製チューブからなる外層２ｃとの三層で構成されている。このような構成のホース本体２は、四フッ化エチレン樹脂製チューブの内層２ａにより通路内に異物が付着しにくいので通路内の清浄性が保たれ、ステンレス金網製の補強筒からなる中間層２ｂにより強度が高められ、エラストマー製チューブの外層２ｃによりステンレス金網製の補強筒からなる中間層２ｂに埃などが入り込まないのでホース本体２の清浄性が保たれる。また、内層２ａ、中間層２ｂおよび外層２ｃの複合作用により、使い勝手のよい曲げ性が得られ、かつ耐用性を高めて長期使用を可能にするなど、継手付きホース１必須の特性を有効に発揮できる。
【００２８】
図１、図３および図４において、第１カプラ３０は、軸方向両端を開口したソケット状筒形のソケット本体３０ａと、このソケット本体３０ａに延設された竹の子状筒形の第１差し込み筒３０ｄとを備えている。第１カプラ３０は、第１差し込み筒３０ｄをホース本体２一端部の内層２ａに緩圧入により差し込む簡単な作業で当該ホース本体２に装着される。なお、ソケット本体３０ａにステンレス製スリーブ３０ＳがストロークＬ相当分の軸方向進退を可能に外嵌されている。
【００２９】
第２カプラ３１は、軸方向両端を開口したソケット本体３１ａと、このプラグ本体３１ａに延設された竹の子状筒形の第２差し込み筒３１ｄとを備え、プラグ本体３１ａの所定位置に環状溝３１ｅが凹設されている。このプラグ本体３１ａは、第１カプラ３０のソケット本体３０ａに挿脱可能である。第２カプラ３１は、第２差し込み筒３１ｄをホース本体２他端部の内層２ａに緩圧入により差し込む簡単な作業で当該ホース本体２に装着される。
【００３０】
ホース本体２一端部の内層２ａに差し込まれた第１カプラ３０の第１差し込み筒３０ｄは、外層２ｃの一端部を除去して中間層２ｂを露出させ、露出した中間層２ｂにステンレス製第１スリーブ６Ａを外嵌し、この第１スリーブ６Ａをカシメることにより内層２ａに固着される。ホース本体２他端部の内層２ａに差し込まれた第２カプラ３１の第２差し込み筒３１ｄは、外層２ｃの他端部を除去して中間層２ｂを露出させ、露出した中間層２ｂにステンレス製第２スリーブ６Ｂを外嵌し、この第２スリーブ６Ｂをカシメることにより内層２ａに固着される。そのため、螺合部が省略されて煩雑なネジ結合が不要な構造でありながら、ホース本体２の一端部に第１カプラ３０を脱抜不能に固着することが可能となり、かつホース本体２の他端部に第２カプラ３１を脱抜不能に固着することが可能となる。
【００３１】
このように、ホース本体２両端部へのホースカップリング３の装着が、第１カプラ３０をホース本体２の一端部に差し込んで固着するとともに、第２カプラ３１をホース本体２の他一端部に差し込んで固着することによりなされるので、図７で説明した従来の継手付きホース１に必要であった第１，第２中間継手５０Ａ，５０Ｂが不要になり、これに伴いネジ結合を必要とする螺合部が省略される。第１，第２中間継手５０Ａ，５０Ｂが不要になることで、部品点数が削減され、構造が簡素化される。螺合部が省略できることで、煩雑なネジ結合が不要になり組み立て性が向上するとともに、ゴミや雑菌などの入り込む隙間が無くなって、ゴミや雑菌を含む噴霧が回避できる。しかも、ねじ回し工具掛合用の六角形鍔３０ｂ，３１ｂ，５１を有していないので、外観がシンプルになって見栄えがよくなる、
【００３２】
第１カプラ３０のソケット本体３０ａに外嵌されているスリーブ３０Ｓは、スプリング３０ｓ１の押圧付勢により、常時は図示のストローク前端で停止している。この停止は、スプリング３０ｓ１の押圧付勢により、スリーブ３０Ｓの先端部（左端部）のテーパー内面３０ｓ２が、ソケット本体３０ａの先端部に外嵌固定したステンレス製のストップリング３０ｓ３に当接することによりなされる。ソケット本体３０ａの先端部近傍に、円周方向等間隔で複数のステンレス製ボール３０ｓ４が径方向の移動可能に保持されている。各ボール３０ｓ４は、スリーブ３０Ｓのストローク前端停止により、テーパー内面３０ｓ２後側の環状の規制面３０ｓ５に干渉した状態で、ソケット本体３０ａの径内空間に僅かに突出している。ソケット本体３０ａの後端部外周に段差面３０ｓ６が形成されている。
【００３３】
第１，第２カプラ３０，３１どうしは、必要に応じて、ワンタッチ操作により、着脱可能に互いに結合することができる。第１，第２カプラ３０，３１どうしの分離状態において、ストローク前端にあるスリーブ３０Ｓを指先で摘み、スプリング３０ｓ１の押圧付勢に抗して後退させ、ストローク後端で停止させる。ストローク後端での停止は、スリーブ３０Ｓの後端が段差面３０ｓ６に当接することにより確保できる。これにより。各ボール３０ｓ４は環状の規制面３０ｓ５との干渉が解かれ、径方向の僅かな移動が可能に開放される。これによって、ソケット本体３０ａへのプラグ本体３１ａの挿脱が可能になる。
【００３４】
ここでプラグ本体３１ａを差し込み、かつ差し込み直後に前記指先の摘みを解除する。プラグ本体３１ａが差し込まれることで各ボール３０ｓ４の一部は環状溝３１ｅに嵌まり込む。摘みが解除されたスリーブ３０Ｓは、スプリング３０ｓ１の押圧付勢によりストローク前端に自動復帰する。これにより、図５に示すように、各ボール３０ｓ４は環状の規制面３０ｓ５に干渉して径外方向の移動不能に規制され、その一部がプラグ本体３１ａの環状溝３１ｅに強く嵌まり込む。そのため、プラグ本体３１ａは抜脱不能に拘束され、第１，第２カプラ３０，３１どうしは分離不能に結合する。この結合状態において、スリーブ３０ｅをストローク後端に後退させると、前述の理由によりプラグ本体３１ａの抜脱が可能となり、第１，第２カプラ３０，３１どうしを分離できる。
【００３５】
図２に示すように、給水設備４は水道管４ａと給水配管４ｂとを備え、給水配管４ｂの入口はバルブＶ１を介して水道管４ａに分岐接続される。給水配管４ｂは加圧ポンプＰを備え、出口にバルブＶ２を介して継手Ｃ１を設けてある。噴霧設備５は複数の噴霧ノズル５ａを設けた通水配管５ｂを備え、入口に継手Ｃ２を設けてある。
【００３６】
本考案に係る継手付きホース１を用いて、給水設備４と噴霧設備５とを通水可能に互いに連結した構造は、噴霧設備５側の継手Ｃ２を第１カプラ３０の着脱が可能な継手、つまり、第２カプラ３１で構成し、給水設備４側の継手Ｃ１を第２カプラ３１の着脱が可能な継手、つまり、第１カプラ３０で構成して、継手Ｃ２に第１カプラ３０を接続し、かつ継手Ｃ１に第２カプラ３１を接続することにより構築できる。
【００３７】
本考案に係る継手付きホース１は、第１，第２カプラ３０，３１どうしが互いの着脱を可能に構成されているので、図６に示すように、複数の継手付きホース１，１…の直列継ぎ足しにより全長ＬＬを大きくした継手付き長寸ホース１０を構成できる。そのため、給水設備４と噴霧設備５（図２参照）間の距離が、単一継手付きホース１の規格長さより大きくても、前記継手付き長寸ホース１０で給水設備４と噴霧設備５を通水可能に互いに連結することが可能となる。
【００３８】
本考案に係る継手付きホース１は、給水設備４と噴霧設備５とを互いに通水可能に連結する工事の施工に際して、各設備４，５およびその周辺の構造物に第１，第２カプラ２０，３１が誤って当たっても、第１，第２カプラ２０，３１には図７に示すような鋭い角部をもつ六角形鍔３０ｂ，３１ｂや六角形鍔５１を有しているので、各設備４，５およびその周辺の構造物の損傷を抑制することが可能となる。
【００３９】
本考案の継手付きホース１について前記実施形態に基づいて説明したが、本考案は前記実施形態の構成に限定されるものではなく、その趣旨および技術思想を逸脱しない範囲であれば構造変形が可能である。
【産業上の利用可能性】
【００４０】
本考案の継手付きホースは、夏場の暑気払いのため屋外に設置した噴霧設備と、噴霧設備に給水する給水設備とを通水可能に互いに連結する水の通路としての使用に有用である。
【符号の説明】
【００４１】
１  継手付きホース
２ａ  内層
２ｂ  中間層
２ｃ  外層
２  ホース本体
３  ホースカップリング
３０  第１カプラ
３０ａ  ソケット本体
３０ｄ  第１差込み筒
３１  第２カプラ
３１ａ  プラグ本体
３１ｄ  第２差込み筒
４  給水設備
５  噴霧設備
６Ａ  第１スリーブ
６Ｂ  第１スリーブ
【図１】
0003216165.tif 000003
【図２】
0003216165.tif 000004
【図３】
0003216165.tif 000005
【図４】
0003216165.tif 000006
【図５】
0003216165.tif 000007
【図６】
0003216165.tif 000008
【図７】
0003216165.tif 000009